(57)【要約】【課題】  容易に組み付けることができる回転式スイッチを提供する。【解決手段】  固定部材３と、固定部材３に回転自在に取り付けられ、外部操作により回転する可動部材２とを備える回転式スイッチであって、可動部材２に、複数のクリック用凹部２２が所定ピッチで固定部材３に対向するように形成された環状受部２１を設け、固定部材３の環状受部２１に対向する部位に、クリック用凹部２２に嵌合するボール部３５を有する保持部材３４を、ボール部３５と固定部材３との間にスプリング３３を配置した状態で設け、ボール部３５を、スプリング３３によりクリック用凹部２２に押しつけられるようにする。【選択図】        図１
2006260949.tif 000002
【特許請求の範囲】
【請求項１】
固定部材（３）と、前記固定部材（３）に回転自在に取り付けられ、外部操作により回転する可動部材（２）とを備える回転式スイッチであって、
前記可動部材（２）には、複数の凹部（２２）が所定ピッチで前記固定部材（３）に対向するように形成された環状受部（２１）が設けられており、
前記固定部材（３）の前記環状受部（２１）に対向する部位には、前記凹部（２２）に嵌合する突部（３５）を有する保持部材（３４）が、前記突部（３５）と前記固定部材（３）との間に弾性部材（３３）を配置した状態で設けられており、
前記突部（３５）は、前記弾性部材（３３）により前記凹部（２２）に押しつけられていることを特徴とする回転式スイッチ。
【発明の詳細な説明】
【技術分野】
【０００１】
本発明は、車両用エアコンの風量調節等に用いられる回転式スイッチに関する。
【背景技術】
【０００２】
回転式スイッチは、例えば図８に示すように、固定部材Ｊ３と、固定部材Ｊ３に回転自在に取り付けられ、外部操作により回転する可動部材Ｊ２とを備えている。可動部材Ｊ２は、複数のクリック用溝Ｊ２２が所定ピッチで形成された環状受部Ｊ２１を有している。また、固定部材Ｊ３のスプリング収容孔Ｊ３２には、スプリングＪ３３で付勢された摺動ボールＪ３５が収容されており、摺動ボールＪ３５が可動部材Ｊ２のクリック用溝Ｊ２２に嵌合することにより、操作にクリック感が得られるようになっている。（例えば、特許文献１参照）。
【特許文献１】特開平１０−３４０６５１号公報
【発明の開示】
【発明が解決しようとする課題】
【０００３】
しかしながら、上記特許文献１の回転式スイッチでは、摺動ボールを組み付ける際に、摺動ボールをスプリング収容孔に収容されたスプリングの上に載置するため、摺動ボールがスプリングから転がりやすく不安定であり、組み付けが困難であった。
【０００４】
本発明は、上記点に鑑み、容易に組み付けることができる回転式スイッチを提供することを目的とする。
【課題を解決するための手段】
【０００５】
上記目的を達成するため、請求項１に記載の発明では、固定部材（３）と、固定部材（３）に回転自在に取り付けられ、外部操作により回転する可動部材（２）とを備える回転式スイッチであって、可動部材（２）には、複数の凹部（２２）が所定ピッチで固定部材（３）に対向するように形成された環状受部（２１）が設けられており、固定部材（３）の環状受部（２１）に対向する部位には、凹部（２２）に嵌合する突部（３５）を有する保持部材（３４）が、突部（３５）と固定部材（３）との間に弾性部材（３３）を配置した状態で設けられており、突部（３５）は、弾性部材（３３）により凹部（２２）に押しつけられていることを特徴としている。
【０００６】
このように、突部（３５）を有する保持部材（３４）を固定部材（３）に設けることで、可動部材（２）を固定部材（３）に組み付ける際に突部（３５）が動くことがないため、容易に組み付けることが可能となる。また、摺動ボールを廃止することができるため、部品数を低減させることが可能となる。このように、組み付けを容易化し、部品数を低減させることができるため、コストダウンを図ることが可能となる。
【０００７】
なお、上記各手段の括弧内の符号は、後述する実施形態に記載の具体的手段との対応関係を示すものである。
【発明を実施するための最良の形態】
【０００８】
以下、本発明の一実施形態について図１〜図７に基づいて説明する。本実施形態の回転スイッチは、車両用空調装置の操作パネルに備えられており、空調装置の風量を調整するために用いられる。
【０００９】
図１は、本実施形態に係る回転式スイッチを示す分解斜視図である。図１に示すように、回転式スイッチは、基板１と可動部材２と固定部材３とを備えている。可動部材２および固定部材３は、樹脂により形成されている。図１において、基板１は図示を省略している。
【００１０】
図１に示すように、可動部材２は中空円筒状になっており、可動部材２の他の部位より外径の大きい環状受部２１を備えている。環状受部２１は、可動部材２と一体成形されている。また、環状受部２１における基板１側の面には、複数のクリック用凹部２２が所定ピッチで形成されている。
【００１１】
固定部材３は、可動部材２の外径よりも若干大きい内径を有する中空円筒状の支持部３１と、円筒形のスプリング収納孔３２とを備えている。支持部３１は、可動部材２を回転可能に支える軸として機能する。スプリング収納孔３２は、可動部材２側に開口部を有しており、スプリング収納孔３２の内部にはスプリング（弾性部材）３３が収納されている。
【００１２】
図２は、本実施形態に係る回転式スイッチのスプリング収容孔３２付近を示す説明図である。図１および図２に示すように、固定部材３には、スプリング収納孔３２の開口部を覆うように略Ｌ字型の保持部材３４が設けられている。保持部材３４は、固定部材３と一体成形されている。保持部材３４には、クリック用凹部２２に嵌合するように半球形状のボール部（突部）３５が形成されている。保持部材３４におけるボール部３５と反対側の面は、スプリング３３の一端と接触するようになっている。保持部材３４のボール部３５は、スプリング３３によりクリック用凹部２２に押しつけられている。
【００１３】
図３は、本実施形態に係る回転式スイッチの要部を示す斜視図である。図３において、基板１および固定部材３は、図示を省略している。図３に示すように、可動部材２における環状受部２１より下側の外周面には、外側に向けて突出する爪部２３が設けられている。爪部２３は、可動部材２が支持部３１に挿入された後、支持部３１から抜けるのを防止する役割を果たすものである。
【００１４】
また、可動部材２を固定部材３の支持部３１に上側から挿入することで、可動部材２は支持部３１に回転自在に支持される。このとき、ボール部３５を有する保持部材３４は固定部材３に固定されているため、ボール部３５は動くことなく可動部材２の凹部２２に嵌合する。
【００１５】
可動部材２の図３における下側の端部には、所定ピッチで突起部２４が形成されている。突起部２４のピッチは、クリック用凹部２２のピッチに対応している。また、突起部２４は、可動部材２の回転状態によって、後述するスイッチング素子４のレバー４１を押し倒すようになっている。
【００１６】
図４は、本実施形態に係る回転式スイッチの要部を示す断面図、図５は本実施形態に係る回転式スイッチの突起部２４付近を示す説明図、図６は本実施形態に係る回転式スイッチの電気回路構成図である。図４および図５に示すように、基板１には、二方向に傾倒するレバー４１を有するスイッチング素子４が突設されている。スイッチング素子４は、レバー４１の傾倒方向を検出するもので、図６に示すように、第１の接点４２と、第１の接点４３と、各接点４２、４３と接触、非接触する接触端子４４とを有している。接触端子４４は、レバー４１が倒されることによって各接点４２、４３と接触したり、非接触したりするようになっている。
【００１７】
次に、本実施形態の回転式スイッチの作動を説明する。図７は本実施形態に係る回転式スイッチのスイッチング素子４付近を示す説明図で、図７（ａ）は可動部材２を時計回りに回転させた状態を示しており、図７（ｂ）は可動部材２を反時計回りに回転させた状態を示している。
【００１８】
図７（ａ）に示すように、操作者が可動部材２を時計方向に回転させた場合、スイッチング素子４のレバー４１は図７（ａ）における左向きに傾倒する。このとき、図６に示す接触端子４４は第１の接点４２と接続され、マイクロコンピュータ５にＣＷ信号が出力される。一方、図７（ｂ）に示すように、操作者が可動部材２を反時計方向に回転させた場合、スイッチング素子４のレバー４１は図７（ｂ）における右向きに傾倒する。このとき、図６に示す接触端子４４は第１の接点４３と接続され、マイクロコンピュータ５にＣＣＷ信号が出力される。そして、マイクロコンピュータ５は、入力された信号に基づいて、可動部材２の回転方向および可動部材２が何度回転したかを検出する。
【００１９】
また、可動部材２が回転するのに伴って、保持部材３４のボール部３５が固定部材３側に押し下げられながら、クリック用凹部２２を乗り越える。そして、スプリング３３によりボール部３５が隣接する別のクリック用凹部２２に押しつけられる。このボール部３５がクリック用凹部２２を乗り越える際に、操作者にクリック感を付与することができる。
【００２０】
以上説明したように、ボール部３５を有する保持部材３４が固定部材３に固定されており、可動部材２を固定部材３に組み付ける際にボール部３５が動くことがないため、容易に組み付けることが可能となる。また、摺動ボールを廃止することができるため、部品数を低減させることが可能となる。このように、組み付けを容易化し、部品数を低減させることができるため、コストダウンを図ることが可能となる。
【図面の簡単な説明】
【００２１】
【図１】本発明の実施形態に係る回転式スイッチを示す分解斜視図である。
【図２】本発明の実施形態に係る回転式スイッチのスプリング収容孔３２付近を示す説明図である。
【図３】本発明の実施形態に係る回転式スイッチの要部を示す斜視図である。
【図４】本発明の実施形態に係る回転式スイッチの要部を示す断面図である。
【図５】本発明の実施形態に係る回転式スイッチの突起部２４付近を示す説明図である。
【図６】本発明の実施形態に係る回転式スイッチの電気回路構成図である。
【図７】（ａ）は本発明の実施形態に係る回転式スイッチの可動部材２を時計回りに回転させたときのスイッチング素子４付近を示す説明図で、（ｂ）は可動部材２を反時計回りに回転させたときのスイッチング素子４付近を示す説明図である。
【図８】従来の回転式スイッチを示す分解斜視図である。
【符号の説明】
【００２２】
２…可動部材、３…固定部材、２１…環状受部、２２…クリック用凹部、３３…スプリング（弾性部材）、３４…保持部材、３５…ボール部（突部）。
【図１】
2006260949.tif 000003
【図２】
2006260949.tif 000004
【図３】
2006260949.tif 000005
【図４】
2006260949.tif 000006
【図５】
2006260949.tif 000007
【図６】
2006260949.tif 000008
【図７】
2006260949.tif 000009
【図８】
2006260949.tif 000010